(57)【要約】      （修正有）【課題】技術と経験にかかわらず、ユーザが容易に出荷可能な家畜を判別し捕獲することをサポートするシステムの提供。【解決手段】出荷判定表示装置１は、家畜を撮像する画像撮像部１１、撮像した家畜画像から、画像解析により、前記家畜画像に含まれる家畜一頭ごとにその体重を推定する体重推定部１２、出荷可能な体重の上限および下限と、前記推定した推定体重とから、前記家畜一頭ごとに、出荷の可否を判定する出荷判定部１３、前記家畜画像上に、出荷の可否を表す視覚情報を、前記家畜画像内の前記家畜一頭ごとに紐付けて、表示する表示部１４を含む。【選択図】図１
2019205375.tif 000002
【特許請求の範囲】
【請求項１】
画像撮像部、体重推定部、出荷判定部および表示部を含み、
前記画像撮像部は、
家畜を撮像し、
前記体重推定部は、
撮像した家畜画像から、画像解析により、前記家畜画像に含まれる家畜一頭ごとにその体重を推定し、
前記出荷判定部は、
出荷可能な体重の上限および下限と、前記推定した推定体重とから、前記家畜一頭ごとに、出荷の可否を判定し、
前記表示部は、
前記家畜画像上に、出荷の可否を表す視覚情報を、前記家畜画像内の前記家畜一頭ごとに紐付けて、表示する、
ことを特徴とする出荷判定表示装置。
【請求項２】
前記出荷判定部は、前記推定体重が上限を超える場合、体重過多により出荷不可と判定し、前記推定体重が下限未満の場合、体重不足により出荷不可と判定し、
前記表示部は、前記推定体重が上限を超える場合、体重過多による出荷不可を表す視覚情報を表示し、前記推定体重が下限未満の場合、体重不足による出荷不可を表す視覚情報を表示する、請求項１に記載の出荷判定表示装置。
【請求項３】
前記表示部は、出荷の可否を表す文字、記号および色からなる群から選択された少なくとも一つの視覚情報を表示する、請求項１または２に記載の出荷判定表示出荷判定表示装置。
【請求項４】
さらに、必要日数算出部を含み、
前記必要日数算出部は、前記推定体重が下限未満の場合、一日当たりの体重増加率と、前記出荷可能な体重の下限と、前記推定体重とに基づき、対象の家畜の体重が、前記下限に達するまでに必要な必要日数を算出し、
前記表示部は、前記視覚情報として、あわせて、前記必要日数に基づく前記出荷可能な体重への到達情報を表示する、請求項１から３のいずれか一項に記載の出荷判定表示装置。
【請求項５】
さらに、出荷予定日判定部を含み、
前記出荷予定日判定部は、前記推定体重が下限未満の場合、出荷スケジュールと、前記必要日数とに基づいて、対象の家畜が出荷可能になる最先の出荷日を判定し、
前記表示部は、前記視覚情報として、あわせて、前記最先の出荷日を表示する、請求項４に記載の出荷判定表示装置。
【請求項６】
さらに、体重増加率算出部を含み、
前記体重算出部は、飼育の環境情報および飼料情報に基づいて、一日当たりの体重増加率を算出する、請求項２から５のいずれか一項に記載の出荷判定表示装置。
【請求項７】
画像撮像工程、体重推定工程、出荷判定工程および表示工程を含み、
前記画像撮像工程は、
家畜を撮像し、
前記体重推定工程は、
撮像した家畜画像から、画像解析により、前記家畜画像に含まれる家畜一頭ごとにその体重を推定し、
前記出荷判定工程は、
出荷可能な体重の上限および下限と、前記推定した推定体重とから、前記家畜一頭ごとに、出荷の可否を判定し、
前記表示工程は、
前記家畜画像上に、出荷の可否を表す視覚情報を、前記家畜画像内の前記家畜一頭ごとに紐付けて、表示する、
ことを特徴とする出荷判定表示方法。
【請求項８】
前記出荷判定工程は、前記推定体重が上限を超える場合、体重過多により出荷不可と判定し、前記推定体重が下限未満の場合、体重不足により出荷不可と判定し、
前記表示工程は、前記推定体重が上限を超える場合、体重過多による出荷不可を表す視覚情報を表示し、前記推定体重が下限未満の場合、体重不足による出荷不可を表す視覚情報を表示する、請求項７に記載の出荷判定表示方法。
【請求項９】
請求項７または８に記載の出荷判定表示方法をコンピュータに実行させることを特徴とするプログラム。
【請求項１０】
請求項９に記載のプログラムを記録したコンピュータ読み取り可能な記録媒体。
【発明の詳細な説明】
【技術分野】
【０００１】
本発明は、家畜の出荷判定表示装置、出荷判定表示方法、プログラム、および記録媒体に関する。
【背景技術】
【０００２】
家畜の出荷においては、体重測定が必須であり、通常、体重計に家畜を乗せて、その体重が測定されている。しかし、豚、牛等の家畜は、体重も重く、また、動きを制御しがたいため、体重計の上に乗せることが困難である。
【０００３】
そこで、新たな方法として、家畜を撮像し、その画像を解析し、体重を推定する方法が提案されている（特許文献１、２）。しかしながら、出荷可能か否かの出荷判定基準は、畜産農家ごとに異なっており、作業者は、推定体重が判明しても、その家畜が出荷可能か否かを、前記推定体重のみから即座に判断することが困難である。また、体重が推定されてから、人が出荷可能か否かを判断し、その後、例えば、多数の豚が収容されている豚舎から、出荷可能と判断した豚を特定し、捕獲することも困難である。また、仮に、熟練の作業者であれば、家畜の外見から出荷の可否を判断し、さらに捕獲することが可能である。しかし、高齢化・畜産業離れの問題から、これからの畜産には、技術と経験に乏しい作業者であっても、貴重な人材であり、作業への関与は必須である。
【先行技術文献】
【特許文献】
【０００４】
【特許文献１】特開２０１６−０５９３００号公報
【特許文献２】特開平６−３１８１号公報
【発明の概要】
【発明が解決しようとする課題】
【０００５】
そこで、本発明は、例えば、技術と経験にかかわらず、ユーザが容易に出荷可能な家畜を判別し捕獲することをサポートするシステムの提供を目的とする。
【課題を解決するための手段】
【０００６】
前記目的を達成するために、本発明の出荷判定表示装置は、
画像撮像部、体重推定部、出荷判定部および表示部を含み、
前記画像撮像部は、
家畜を撮像し、
前記体重推定部は、
撮像した家畜画像から、画像解析により、前記家畜画像に含まれる家畜一頭ごとにその体重を推定し、
前記出荷判定部は、
出荷可能な体重の上限および下限と、前記推定した推定体重とから、前記家畜一頭ごとに、出荷の可否を判定し、
前記表示部は、
前記家畜画像上に、出荷の可否を表す視覚情報を、前記家畜画像内の前記家畜一頭ごとに紐付けて、表示する、ことを特徴とする。
【０００７】
本発明の出荷判定表示方法は、
画像撮像工程、体重推定工程、出荷判定工程および表示工程を含み、
前記画像撮像工程は、
家畜を撮像し、
前記体重推定工程は、
撮像した家畜画像から、画像解析により、前記家畜画像に含まれる家畜一頭ごとにその体重を推定し、
前記出荷判定工程は、
出荷可能な体重の上限および下限と、前記推定した推定体重とから、前記家畜一頭ごとに、出荷の可否を判定し、
前記表示工程は、
前記家畜画像上に、出荷の可否を表す視覚情報を、前記家畜画像内の前記家畜一頭ごとに紐付けて、表示する、ことを特徴とする。
【０００８】
本発明のプログラムは、前記本発明の出荷判定表示方法をコンピュータに実行させることを特徴とする。
【０００９】
本発明の記録媒体は、前記本発明のプログラムを記録したコンピュータ読み取り可能である。
【発明の効果】
【００１０】
本発明によれば、出荷の可否の判定結果を、視覚情報として表示できるため、例えば、ユーザの技術や経験にかかわらず、容易に、出荷可能な家畜を判別し、捕獲することができる。
【図面の簡単な説明】
【００１１】
【図１】図１は、実施形態１の出荷判定表示装置の一例を示すブロック図である。
【図２】図２は、実施形態１の出荷判定表示装置のハードウエア構成の一例を示すブロック図である。
【図３】図３は、出荷判定表示装置の表示部に表示される家畜画像の一例を示す図である。
【図４】図４は、実施形態２の出荷判定表示装置の一例を示すブロック図である。
【図５】図５は、実施形態１および２の出荷判定表示方法の一例を示すフローチャートである。
【発明を実施するための形態】
【００１２】
本発明によれば、例えば、リアルタイムで、家畜の撮像、体重推定、および出荷可否の判定を行い、さらに、その出荷可否の判定結果を、視覚情報として表示できる。このため、例えば、作業者の経験等に関わらず、容易に出荷可否の判定結果にしたがって、その場で、出荷可能な家畜の捕獲を行うことができる。
【００１３】
本発明の実施形態について、図を用いて説明する。本発明は、以下の実施形態には限定されない。以下の各図において、同一部分には、同一符号を付している。また、各実施形態の説明は、特に言及がない限り、互いの説明を援用できる。さらに、各実施形態の構成は、特に言及がない限り、組合せ可能である。下記実施形態においては、体重推定の対象として豚を例に説明するが、前述のように、本発明は、この例示には制限されない。
【００１４】
［実施形態１］
本発明の出荷判定表示装置および出荷判定表示方法の一例について、図を用いて説明する。
【００１５】
図１は、本実施形態の出荷判定表示装置の一例を示すブロック図である。出荷判定表示装置１は、画像撮像部１１、体重推定部１２、出荷判定部１３および表示部１４を含む。出荷判定表示装置１は、例えば、さらに、記憶部１５を含み、記憶部１５は、例えば、出荷基準情報、体重増加率情報、出荷スケジュール情報、体重推定モデル等を記憶する。
【００１６】
出荷判定表示装置１は、前記各部を含む１つの出荷判定表示装置であり、具体例としては、スマートフォン、タブレット、眼鏡型等のウェアラブルデバイス等があげられる。酪農の牧場は、一般的に、ネット環境が万全ではないことが多い。しかしながら、出荷判定表示装置１は、前述のように、この装置のみで、リアルタイムに、家畜の撮像、体重推定、出荷可否の判定、出荷可否の判定結果の視覚情報による表示が可能である。このため、例えば、ネット環境に影響を受けることなく、容易に、出荷判定を行うことができる。
【００１７】
つぎに、図２に、出荷判定表示装置１のハードウエア構成のブロック図を例示する。図２に示すように、出荷判定表示装置１は、例えば、ＣＰＵ（中央処理装置）１０１、メモリ１０２、入力装置１０３、カメラ１０４、ディスプレイ１０５、通信デバイス１０６、記憶装置１０７等を有する。出荷判定表示装置１の各部は、例えば、インターフェイス（Ｉ／Ｆ）を介して、接続されている。前記ハードウエア構成において、内部での回路間の通信は、バスによって接続される。
【００１８】
ＣＰＵ１０１は、出荷判定表示装置１の全体の制御を行う。出荷判定表示装置1において、ＣＰＵ１０１により、例えば、本発明のプログラム等のプログラム１０８が実行され、また、各種情報の読み込みや書き込みが行われる。具体的に、出荷判定表示装置1は、例えば、ＣＰＵ１０１が、体重推定部１２、および出荷判定部１３として機能する。
【００１９】
メモリ１０２は、例えば、メインメモリを含み、前記メインメモリは、主記憶装置ともいう。ＣＰＵ１０１が処理を行う際には、例えば、後述する補助記憶装置に記憶されている、本発明のプログラム等の種々のプログラム１０８を、メモリ１０２が読み込み、ＣＰＵ１０１は、メモリ１０２からデータを受け取って、前記プログラムを実行する。前記メインメモリは、例えば、ＲＡＭ（ランダムアクセスメモリ）である。メモリ１０２は、例えば、さらに、ＲＯＭ（読み出し専用メモリ）を含む。
【００２０】
記憶装置１０７は、例えば、前記メインメモリ（主記憶装置）に対して、いわゆる補助記憶装置ともいう。記憶装置１０７は、例えば、記憶媒体と、前記記憶媒体に読み書きするドライブとを含む。前記記憶媒体は、特に制限されず、例えば、内蔵型でも外付け型でもよく、ＨＤ（ハードディスク）、ＦＤ（フロッピー（登録商標）ディスク）、ＣＤ−ＲＯＭ、ＣＤ−Ｒ、ＣＤ−ＲＷ、ＭＯ、ＤＶＤ、フラッシュメモリー、メモリーカード等があげられ、前記ドライブは、特に制限されない。記憶装置１０７は、例えば、記憶媒体とドライブとが一体化されたハードディスクドライブ（ＨＤＤ）、ソリッドステートドライブ（ＳＳＤ）も例示できる。記憶装置１０７は、例えば、本発明のプログラム等の動作プログラム１０８が格納され、前述のように、ＣＰＵ１０１を実行させる際、メモリ１０２が、記憶装置１０７から動作プログラム１０８を読み込む。記憶装置１０７は、例えば、記憶部１５であり、例えば、予め、出荷基準情報１０９、体重推定モデル１１０等を格納する。
【００２１】
カメラ１０４は、画像撮像部１１である。カメラ１０４の種類は、特に制限されない。ディスプレイ１０５は、表示部１４であり、例えば、ＬＥＤディスプレイ、液晶ディスプレイ等である。出荷判定表示装置１は、例えば、さらに、入力装置１０３を備えてもよく、例えば、タッチパネル、キーボード、マウス等である。
【００２２】
出荷判定表示装置１は、例えば、前記Ｉ／Ｆに接続された通信デバイス１０６により、通信回線網に接続でき、前記通信回線網を介して、前記外部機器と接続することもできる。前記通信回線網は、特に制限されず、公知のネットワークを使用でき、例えば、有線でも無線でもよい。前記通信回線網は、例えば、インターネット回線、電話回線、ＬＡＮ（Local  Area  Network）、ＷｉＦｉ（Wireless  Fidelity）等があげられる。出荷判定表示装置１は、例えば、本発明のプログラムがインストールされたパーソナルコンピュータ（ＰＣ）でもよい。記憶装置１０７に予め前記各種情報を格納する場合、例えば、入力装置１０３により入力して記憶してもよいし、前記通信回線網を介して、外部から受信し、記憶してもよい。また、出荷判定表示装置１により得られた情報は、例えば、前記通信回線網を介して、外部機器に出力することもできる。
【００２３】
画像撮像部１１は、前述のように、家畜を撮像する。撮像対象は、例えば、畜舎に収容されている複数の家畜である。家畜の種類は、特に制限されず、例えば、豚、牛等があげられる。画像撮像部１１による撮像は、例えば、一つの画像内に、一頭の家畜のみが写ってもよいし、二頭以上の家畜が写ってもよい。後者の場合、出荷判定表示装置１によれば、例えば、それぞれの出荷の可否を表示することもできる。
【００２４】
体重推定部１２は、撮像した家畜画像から、画像解析により、前記家畜画像に含まれる家畜一頭ごとにその体重を推定する。具体的に、体重推定部１２は、例えば、まず、前記家畜画像から、前記家畜画像に含まれる一頭ごとの個体画像を抽出し、前記個体画像ごとに、体重推定を行う。前記家畜画像から、一頭ごとの個体画像を抽出する方法は、特に制限されず、公知の画像解析により行える。前記家畜画像から、前記画像解析により、一頭ごとの体重を推定する方法は、特に制限されず、例えば、体重推定モデル１１０を使用することができる。体重推定モデル１１０は、画像における一頭の家畜と、その体重との関係性（アルゴリズム）を表すモデルである。体重推定モデル１１０は、前述のように、例えば、記憶部１５に記憶され、記憶された体重推定モデル１１０を用いて、体重推定部１２により、画像撮像部１１により得られた家畜画像から、一頭ごとの体重が推定される。体重推定モデル１１０は、例えば、家畜ごとに、様々な体重の家畜画像を学習データとして使用し、学習により生成される。前記学習は、いわゆる機械学習があげられ、例えば、深層学習が好ましい。体重推定モデル１１０は、例えば、ＡＩエンジンということもできる。
【００２５】
出荷判定部１３は、出荷基準情報１０９と、前記推定した推定体重とから、前記家畜一頭ごとに、出荷の可否を判定する。出荷基準情報１０９は、出荷可能な体重の上限および下限を含み、例えば、記憶部１５に予め格納される。出荷基準情報１０９は、例えば、畜産農家等のユーザごとに、適宜設定できる。出荷判定部１３は、例えば、前記推定体重が上限を超える場合および下限未満の場合、出荷不可と判定でき、より具体的には、例えば、前記推定体重が上限を超える場合、体重過多により出荷不可と判定でき、前記推定体重が下限未満の場合、体重不足により出荷不可と判定できる。また、出荷判定部１３は、例えば、前記推定体重が、下限以上、上限以下の場合、出荷可能と判定できる。
【００２６】
表示部１４は、前記家畜画像上に、出荷の可否を表す視覚情報を、前記家畜画像内の前記家畜一頭ごとに紐付けて、表示する。前記視覚情報は、例えば、出荷の可否を表す文字、記号、または色等があげられる。また、前記視覚情報は、文字、記号および色のうち少なくとも２つ以上の組合せでもよく、例えば、文字と記号の併記、文字および記号の少なくとも一方を出荷の可否に応じて異なる色で表示してもよい。判定内容を表示する視覚情報は、例えば、下記表が例示できる。
【００２７】
【表１】
2019205375.tif 000003
【００２８】
前記視覚情報を、前記家畜画像内の家畜一頭ごとに紐づけて表示するとは、表示部１４に表示された家畜画像において、各家畜と対応するように、前記視覚情報が表示されることを意味する。前記家畜画像に、複数の家畜が写っている場合、表示部１４は、例えば、前記家畜画像において、各家畜を分離する境界線をあわせて示してもよい。また、表示部１４は、例えば、さらに、前記推定体重をあわせて表示してもよい。図３に、出荷判定装置１の表示部１４の一例の概略図を示す。図３は、出荷判定表示装置１がスマートフォンの例である。図３に示すように、表示部１４の家畜画像において、各家畜を囲む境界線３０が表記され、境界線３０内には、出荷可否の判定内容を表す視覚情報（文字、記号）と推定体重とが、それぞれ表記されている。また、それぞれの前記視覚情報は、例えば、出荷ＯＫ（〇）が青色、出荷体重超過（×）が赤色、出荷体重未満（△）が黄色で表されている。
【００２９】
つぎに、本実施形態の出荷判定表示方法について、説明する。本実施形態の出荷判定表示方法は、例えば、図１および図２に示す出荷判定表示装置１を用いて実施できる。なお、本発明の実施形態１による出荷判定表示方法は、出荷判定表示装置１の使用には限定されない。また、本実施形態の出荷判定表示方法における記載は、前述した出荷判定表示装置１に援用できる。
【００３０】
画像撮像工程は、家畜を撮像する工程であり、出荷判定表示装置１の画像撮像部１１により実施できる。
【００３１】
体重推定工程は、撮像した家畜画像から、画像解析により、前記家畜画像に含まれる家畜一頭ごとにその体重を推定する工程であり、出荷判定表示装置１の体重推定部１２により実施できる。
【００３２】
出荷判定工程は、出荷可能な体重の上限および下限と、前記推定した推定体重とから、前記家畜一頭ごとに、出荷の可否を判定する工程であり、出荷判定表示装置１の出荷判定部１３により実施できる。
【００３３】
表示工程は、前記家畜画像上に、出荷の可否を表す視覚情報を、前記家畜画像内の前記家畜一頭ごとに紐付けて、表示する工程であり、出荷判定表示装置１の表示部１４により実施できる。
【００３４】
［実施形態２］
本発明の出荷判定表示装置および出荷判定表示方法のその他の例について、図を用いて説明する。本実施形態において、特に示さない限り、前記実施形態１の記載を援用できる。
【００３５】
図４は、本実施形態の出荷判定表示装置の一例を示すブロック図である。出荷判定表示装置２は、さらに、必要日数算出部１６を含む。必要日数算出部１６は、前記推定体重が下限未満の場合、一日当たりの体重増加率と、前記出荷可能な体重の下限と、前記推定体重とに基づき、対象の家畜の体重が、前記下限に達するまでに必要な必要日数を算出する。そして、表示部１４は、前記視覚情報として、あわせて、前記必要日数に基づく前記出荷可能な体重への到達情報を表示する。
【００３６】
一日あたりの体重増加率は、例えば、体重増加率情報として、予め記憶部１５に格納される。体重増加率は、例えば、家畜の種類、生育条件によって異なるため、畜産農家等のユーザごとに、適宜設定できる。一日あたりの体重増加率がＸｋｇ／日、推定体重がＹｋｇ、出荷可能な体重の下限がＺｋｇの場合、例えば、（Ｚ−Ｙ）／Ｘの式により、必要日数を算出することができる。
【００３７】
表示部１４に表示される前記到達情報は、特に制限されず、例えば、前記必要日数そのものでもよいし、前記必要日数を算出した本発明の実行日から起算した、前記対象の家畜の体重が前記下限に達する到達日でもよい。前者は、例えば、１０日間等の日数であり、後者は、例えば、仮に実行日が４月１日であり、必要日数が１０日間の場合、４月１１日等の日にちである。
【００３８】
また、出荷判定表示装置２は、例えば、さらに、体重増加率算出部を含んでもよく、前記体重算出部は、例えば、飼育の環境情報および飼料情報に基づいて、一日当たりの体重増加率を算出する。前記体重増加率を算出する方法は、特に制限されず、例えば、体重増加率算出モデルを使用することができる。前記体重増加率算出モデルは、例えば、家畜の飼育に関する各種情報と、家畜の増加体重との関係性（アルゴリズム）を表すモデルである。前記体重増加率算出モデルは、例えば、記憶部１５に記憶され、記憶された体重増加率算出モデルを用いて、前記体重増加率算出部により、入力装置１０３から入力された各種情報から、一日あたりの体重増加率が算出できる。前記体重増加率算出モデルは、例えば、家畜ごとに、様々な飼育に関する各種情報と、飼育された家畜の増加体重とを学習データとして使用し、学習により生成される。前記学習は、例えば、深層学習等の機械学習等があげられる。前記各種情報は、特に制限されず、前記飼育の環境情報は、例えば、気温、湿度、畜舎内の明るさ等であり、前記飼料情報は、例えば、飼料残量、飲水残量等である。
【００３９】
出荷判定表示装置２は、例えば、さらに、出荷予定日判定部１７を含んでもよい。出荷予定日判定部１７は、前記推定体重が下限未満の場合、出荷スケジュールと、前記必要日数とに基づいて、対象の家畜が出荷可能になる最先の出荷日を判定する。そして、表示部１４は、前記視覚情報として、あわせて最先の出荷日を表示する。
【００４０】
出荷スケジュールは、例えば、出荷スケジュール情報として、予め記憶部１５に格納される。前記出荷スケジュール情報は、例えば、畜産農家等のユーザごとに、適宜設定でき、例えば、入力装置１０３から入力し、記憶部１５に記憶する。例えば、出荷判定表示装置２による判定日が、５月１日であり、５月１日以降の出荷スケジュールが、５月１１日、５月２１日、５月３１日であり、出荷判定部１３により、前記推定体重が下限未満であり、体重不足で出荷不可と判定され、さらに、出荷日数算出部１６により、１７日必要と算出されたとする。この場合、出荷予定日判定部１７は、５月１日から１７日後の５月１８日が出荷可能日であることから、その後の最先の出荷日である５月２１日を、出荷日として判定する。
【００４１】
つぎに、本実施形態の出荷判定表示方法について、説明する。本実施形態の出荷判定表示方法は、例えば、図４に示す出荷判定表示装置２を用いて実施できる。なお、本発明の実施形態２による出荷判定表示方法は、出荷判定表示装置２の使用には限定されない。また、本実施形態の出荷判定表示方法における記載は、前述した出荷判定表示装置２に援用できる。
【００４２】
本実施形態の出荷判定表示方法は、前記実施形態１の方法に対して、さらに、必要日数算出工程を含む。前記必要日数算出工程は、前記推定体重が下限未満の場合、一日当たりの体重増加率と、前記出荷可能な体重の下限と、前記推定体重とに基づき、対象の家畜の体重が、前記下限に達するまでに必要な必要日数を算出する工程であり、出荷判定表示装置２の必要日数算出部１６により実施できる。この場合、前記表示工程は、例えば、前記視覚情報として、あわせて、前記必要日数に基づく前記出荷可能な体重への到達情報を表示する。
【００４３】
また、本実施形態の出荷判定表示方法は、さらに、体重増加率算出工程を含んでもよい。前記体重算出工程は、飼育の環境情報および飼料情報に基づいて、一日当たりの体重増加率を算出する工程であり、出荷判定表示装置２の前記体重増加率算出部により実施できる。
【００４４】
本実施形態の出荷判定表示方法は、さらに、出荷予定日判定工程を含んでもよい。前記出荷予定日判定工程は、前記推定体重が下限未満の場合、出荷スケジュールと、前記必要日数とに基づいて、対象の家畜が出荷可能になる最先の出荷日を判定する工程であり、出荷判定表示装置２の出荷予定日判定部１７により実施できる。
【００４５】
つぎに、前記実施形態１および前記実施形態２の出荷判定方法について、図５のフローチャートを用いて、より具体的に説明する。本発明の出荷判定方法は、この例に制限されない。前記フローチャートは、一例として、豚舎で飼育する豚の出荷をあげて説明するが、本発明は、これには何ら制限されない。
【００４６】
まず、複数の豚が共存する豚舎において、豚の画像を撮像し（Ｓ１０１）、豚画像に含まれる豚一頭ごとに体重を、画像解析により推定する（Ｓ１０２）。そして、豚ごとに、推定体重が、出荷可能体重を満たすか否かを判定する（Ｓ１０３）。
【００４７】
前記推定体重が、前記出荷可能体重の上限を超える場合（Ｓ１０４）、体重過多であるとして、出荷不可と判定する（Ｓ１０５）。以下、Ａに続く。また、前記推定体重が、前記出荷可能体重の上限以下であり下限以上の場合（Ｓ１０６）、出荷可能と判定する（Ｓ１０７）。以下、Ｂに続く。
【００４８】
前記推定体重が、前記出荷可能体重の下限未満の場合（Ｓ１０８）、体重不足として、出荷不可と判定する（Ｓ１０９）。そして、さらに、出荷不可と判断された豚が、出荷可能な体重の下限に到達するまでの必要日数を算出し（Ｓ１１０）、出荷スケジュールとから、前記必要日数に基づく前記下限に到達する到達予定日とから、最先の出荷予定日を、その豚の出荷予定日として判定する（Ｓ１１１）。以下、Ｃに続く。
【００４９】
そして、つぎに、表示部１４に豚画像を表示し、前記豚画像における豚ごとに、判定の可否を表す視覚情報を紐づけて表示する。Ａの場合は、体重過多による出荷不可であることを、例えば、文字、記号および色の少なくともいずれかで示す。Ｂの場合は、出荷可能であることを、例えば、文字、記号および色の少なくともいずれかで示す。Ｃの場合、体重不足による出荷不可であることを、例えば、文字、記号および色の少なくともいずれかで示し、さらに、前記到達情報（例えば、前記必要日数、または前記下限に到達する到達日等）と前記出荷予定日も、あわせて示す。前記豚画像に複数の豚が写っている場合、例えば、それぞれについての判定を行い、一つの豚画像に、各豚の判定結果をあわせて表示する。
【００５０】
［実施形態３］
本発明の実施形態３によるプログラムは、前記本発明の出荷判定表示方法を、コンピュータ上で実行可能なプログラムである。または、本実施形態のプログラムは、例えば、コンピュータ読み取り可能な記録媒体に記録されてもよい。前記記録媒体としては、特に限定されず、例えば、前述のような記憶媒体等があげられる。
【００５１】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【００５２】
＜付記＞
上記の実施形態および実施例の一部または全部は、以下の付記のように記載されうるが、以下には限られない。
（付記１）
画像撮像部、体重推定部、出荷判定部および表示部を含み、
前記画像撮像部は、
家畜を撮像し、
前記体重推定部は、
撮像した家畜画像から、画像解析により、前記家畜画像に含まれる家畜一頭ごとにその体重を推定し、
前記出荷判定部は、
出荷可能な体重の上限および下限と、前記推定した推定体重とから、前記家畜一頭ごとに、出荷の可否を判定し、
前記表示部は、
前記家畜画像上に、出荷の可否を表す視覚情報を、前記家畜画像内の前記家畜一頭ごとに紐付けて、表示する、
ことを特徴とする出荷判定表示装置。
（付記２）
前記出荷判定部は、前記推定体重が上限を超える場合、体重過多により出荷不可と判定し、前記推定体重が下限未満の場合、体重不足により出荷不可と判定し、
前記表示部は、前記推定体重が上限を超える場合、体重過多による出荷不可を表す視覚情報を表示し、前記推定体重が下限未満の場合、体重不足による出荷不可を表す視覚情報を表示する、付記１に記載の出荷判定表示装置。
（付記３）
前記表示部は、出荷の可否を表す文字、記号および色からなる群から選択された少なくとも一つの視覚情報を表示する、付記１または２に記載の出荷判定表示出荷判定表示装置。
（付記４）
さらに、必要日数算出部を含み、
前記必要日数算出部は、前記推定体重が下限未満の場合、一日当たりの体重増加率と、前記出荷可能な体重の下限と、前記推定体重とに基づき、対象の家畜の体重が、前記下限に達するまでに必要な必要日数を算出し、
前記表示部は、前記視覚情報として、あわせて、前記必要日数に基づく前記出荷可能な体重への到達情報を表示する、付記１から３のいずれかに記載の出荷判定表示装置。
（付記５）
さらに、出荷予定日判定部を含み、
前記出荷予定日判定部は、前記推定体重が下限未満の場合、出荷スケジュールと、前記必要日数とに基づいて、対象の家畜が出荷可能になる最先の出荷日を判定し、
前記表示部は、前記視覚情報として、あわせて、前記最先の出荷日を表示する、付記４に記載の出荷判定表示装置。
（付記６）
さらに、体重増加率算出部を含み、
前記体重算出部は、飼育の環境情報および飼料情報に基づいて、一日当たりの体重増加率を算出する、付記２から５のいずれかに記載の出荷判定表示装置。
（付記７）
画像撮像工程、体重推定工程、出荷判定工程および表示工程を含み、
前記画像撮像工程は、
家畜を撮像し、
前記体重推定工程は、
撮像した家畜画像から、画像解析により、前記家畜画像に含まれる家畜一頭ごとにその体重を推定し、
前記出荷判定工程は、
出荷可能な体重の上限および下限と、前記推定した推定体重とから、前記家畜一頭ごとに、出荷の可否を判定し、
前記表示工程は、
前記家畜画像上に、出荷の可否を表す視覚情報を、前記家畜画像内の前記家畜一頭ごとに紐付けて、表示する、
ことを特徴とする出荷判定表示方法。
（付記８）
前記出荷判定工程は、前記推定体重が上限を超える場合、体重過多により出荷不可と判定し、前記推定体重が下限未満の場合、体重不足により出荷不可と判定し、
前記表示工程は、前記推定体重が上限を超える場合、体重過多による出荷不可を表す視覚情報を表示し、前記推定体重が下限未満の場合、体重不足による出荷不可を表す視覚情報を表示する、付記７に記載の出荷判定表示方法。
（付記９）
前記表示工程は、出荷の可否を表す文字、記号および色からなる群から選択された少なくとも一つの視覚情報を表示する、付記７または８記載の出荷判定表示方法。
（付記１０）
さらに、必要日数算出工程を含み、
前記必要日数算出工程は、前記推定体重が下限未満の場合、一日当たりの体重増加率と、前記出荷可能な体重の下限と、前記推定体重とに基づき、対象の家畜の体重が、前記下限に達するまでに必要な必要日数を算出し、
前記表示工程は、前記視覚情報として、あわせて、前記必要日数に基づく前記出荷可能な体重への到達情報を表示する、付記７から９のいずれかに記載の出荷判定表示方法。
（付記１１）
さらに、出荷予定日判定工程を含み、
前記出荷予定日判定工程は、前記推定体重が下限未満の場合、出荷スケジュールと、前記必要日数とに基づいて、対象の家畜が出荷可能になる最先の出荷日を判定し、
前記表示部は、前記視覚情報として、あわせて、前記最先の出荷日を表示する、付記１０記載の出荷判定表示方法。
（付記１２）
さらに、体重増加率算出工程を含み、
前記体重算出工程は、飼育の環境情報および飼料情報に基づいて、一日当たりの体重増加率を算出する、付記７から１１のいずれかに記載の出荷判定表示方法。
（付記１３）
付記７から１２のいずれかに記載の出荷判定表示方法をコンピュータに実行させることを特徴とするプログラム。
（付記１４）
付記１３に記載のプログラムを記録したコンピュータ読み取り可能な記録媒体。
【産業上の利用可能性】
【００５３】
本発明によれば、出荷の可否の判定結果を、視覚情報として表示できるため、例えば、ユーザの技術や経験にかかわらず、容易に、出荷可能な家畜を決定し、その捕獲をサポートできる。
【符号の説明】
【００５４】
１、２  出荷判定表示装置
１１    画像撮像部
１２    体重推定部
１３    出荷判定部
１４    表示部
１５    記憶部
１６    必要日数算出部
１７    出荷予定日判定部
【図１】
2019205375.tif 000004
【図２】
2019205375.tif 000005
【図３】
2019205375.tif 000006
【図４】
2019205375.tif 000007
【図５】
2019205375.tif 000008